(57)【要約】【課題】ディスプレイ装置の選択が容易かつ正確に行えるマルチディスプレイ用調整装置、マルチディスプレイシステムおよびマルチディスプレイ映像システムを提供する。【解決手段】マルチディスプレイ装置４のディスプレイ配列１３に応じた各々のディスプレイ固有の識別番号を設定可能なディスプレイＩＤ設定手段８と、各々のディスプレイ配列１３を表示すると共に、外部からの操作により特定のディスプレイ７ａを選択することにより、選択されたディスプレイ７ａに対してディスプレイ７ａの映像特性の調整を可能にするように構成されたディスプレイ選択手段９を具備する。【選択図】図２
2004219869.tif 000002
【特許請求の範囲】
【請求項１】
複数個のディスプレイを組み合わせて１つの画面を形成することができるように構成されたマルチディスプレイ装置のディスプレイ配列に応じた各々のディスプレイ固有の識別番号を設定可能なディスプレイＩＤ設定手段と；
各々のディスプレイ配列を表示すると共に、外部からの操作により特定のディスプレイを選択することにより、選択されたディスプレイに対してディスプレイの映像特性の調整を可能にするように構成されたディスプレイ選択手段と；
ディスプレイ選択手段により選択されたディスプレイに対して、映像特性を調整する信号を生成するように構成された信号生成手段と；
を具備していることを特徴とするマルチディスプレイ用調整装置。
【請求項２】
複数個のディスプレイを組み合わせて１つの画面を形成することができるように構成されたマルチディスプレイ装置と；
各々のディスプレイの映像特性を調整するように構成された調整装置と；
各々のディスプレイの配列に応じたディスプレイの固有の識別番号を設定可能なディスプレイＩＤ設定手段と；
各々のディスプレイの配列を表示すると共に、外部からの操作により特定のディスプレイを選択することにより、選択されたディスプレイに対して調整装置による映像特性の調整を可能にするディスプレイ選択手段と；
を具備していることを特徴とするマルチディスプレイシステム。
【請求項３】
請求項２記載のマルチディスプレイシステムと；
マルチディスプレイ装置に対して映像信号を出力する映像出力装置と；
を具備していることを特徴とするマルチディスプレイ映像システム。
【発明の詳細な説明】
【０００１】
【発明の属する技術分野】本発明は、複数個のディスプレイ装置が組み合わされて１つの画面が形成可能なマルチディスプレイ装置の各ディスプレイの映像特性の調整を行うマルチディスプレイ用調整装置、マルチディスプレイシステムおよびマルチディスプレイ映像システムに関する。
【０００２】
【従来の技術】マルチディスプレイ装置は、独立したディスプレイ装置の画面を例えばマトリックス状に複数個並べて構成されており、１つの大画面を構成可能であるので、例えば展示場、競技場、駅やホールなどに設置されている。しかしながら、複数個のディスプレイ装置を組み合わせて１つの大画面を形成するので、ディスプレイ装置の画面間に輝度むらや色むらが発生しやすく、画質劣化の防止の観点から個々のディスプレイ装置に対する輝度むらおよび色むらの調整、白バランス調整およびガンマ調整などによる映像特性の調整が行われている。そして、この映像特性の調整は、ディスプレイ装置の設置数（画面数）が多くなるにしたがい増加するので、総合的な調整時間の短縮化が望まれている。
【０００３】
例えば、マルチディスプレイ装置の輝度むらおよび色むらを、カメラを用いて自動調整するものがあり、個々のディスプレイ装置毎に輝度むらおよび色むらを調整した後に、ディスプレイ装置間の白バランス調整およびガンマ調整を行っている（特許文献１参照。）。
【０００４】
また、画面単位に識別コードを有し、この識別コードにより画面を指定して画面調整を行うか、または、識別コードを指定せずに同時に全ての画面調整を行うようにするものがある（特許文献２参照。）。
【０００５】
【特許文献１】特開平７−３３３７６０号公報（第３−５頁、第１−２図）
【０００６】
【特許文献２】特開平２００１−２７５１３７号公報（第３頁、第１図）
【０００７】
【発明が解決しようとする課題】特許文献１または特許文献２に示すように、画面に対する映像特性の調整は、カメラなどを用いることにより自動的に行うことができるが、この場合、設備が高価となるという欠点を有する。したがって、人為的にかつ簡単に調整することが望まれている。このとき、ディスプレイ装置の画面の選択は、作業者によってなされるので、ディスプレイ装置の設置数（画面数）が多いほど面倒であり、間違いやすいという問題点がある。
【０００８】
本発明は、ディスプレイ装置の選択が容易かつ正確に行えるマルチディスプレイ用調整装置、マルチディスプレイシステムおよびマルチディスプレイ映像システムを提供することを目的とする。
【０００９】
【課題を解決するための手段】請求項１に記載のマルチディスプレイ用調整装置の発明は、複数個のディスプレイを組み合わせて１つの画面を形成することができるように構成されたマルチディスプレイ装置のディスプレイ配列に応じた各々のディスプレイ固有の識別番号を設定可能なディスプレイＩＤ設定手段と；各々のディスプレイ配列を表示すると共に、外部からの操作により特定のディスプレイを選択することにより、選択されたディスプレイに対してディスプレイの映像特性の調整を可能にするように構成されたディスプレイ選択手段と；ディスプレイ選択手段により選択されたディスプレイに対して、映像特性を調整する信号を生成するように構成された信号生成手段と；を具備していることを特徴とする。
【００１０】
表示されるディスプレイの配列は、マルチディスプレイ装置のディスプレイの縦横の配列数が同じであればよく、ディスプレイの間隔の相違など、変形を許容する。
【００１１】
「映像特性の調整」とは、例えば輝度むらおよび色むらの調整、白バランス調整およびガンマ調整などをいう。
【００１２】
本発明によれば、ディスプレイＩＤ設定手段により設定されたマルチディスプレイ装置のディスプレイ配列をディスプレイ選択手段に表示し、この表示されたディスプレイ配列から特定のディスプレイが外部からの操作により選択される。したがって、映像特性の調整を行う対象の特定のディスプレイを容易に選択することができる。
【００１３】
請求項２に記載のマルチディスプレイシステムの発明は、複数個のディスプレイを組み合わせて１つの画面を形成することができるように構成されたマルチディスプレイ装置と；各々のディスプレイの映像特性を調整するように構成された調整装置と；各々のディスプレイの配列に応じたディスプレイの固有の識別番号を設定可能なディスプレイＩＤ設定手段と；各々のディスプレイの配列を表示すると共に、外部からの操作により特定のディスプレイを選択することにより、選択されたディスプレイに対して調整装置による映像特性の調整を可能にするディスプレイ選択手段と；を具備していることを特徴とする。
【００１４】
本発明によれば、マルチディスプレイ装置の特定のディスプレイが容易に選択されて、映像特性の調整が行われるマルチディスプレイシステムが提供される。
【００１５】
請求項３に記載のマルチディスプレイ映像システムの発明は、請求項２記載のマルチディスプレイシステムと；マルチディスプレイ装置に対して映像信号を出力する映像出力装置と；を具備していることを特徴とする。
【００１６】
本発明によれば、マルチディスプレイ装置の特定のディスプレイが容易に選択されて、映像特性の調整が行われるマルチディスプレイ映像システムが提供される。
【００１７】
【発明の実施の形態】以下、本発明の一実施の形態について、図面を参照して説明する。
【００１８】
図１〜図３は、本発明の一実施形態を示し、図１（ａ）はマルチディスプレイ映像システムの概略正面図、同図（ｂ）は概略背面図、図２はマルチディスプレイ用調整装置の構成ブロック図、図３は特定のディスプレイの選択を示す説明図である。
【００１９】
図１において、マルチディスプレイ映像システム１は、マルチディスプレイシステム２および映像出力装置３を有して構成されている。また、マルチディスプレイシステム２は、マルチディスプレイ装置４、調整装置５およびマルチディスプレイ用調整装置６を有して構成されている。
【００２０】
マルチディスプレイ装置４は、複数個のディスプレイ装置７を縦に３列、横に４列となるように組み合わせて形成されたものであり、各々のディスプレイ７ａの組み合わせにより１つの大きな画面を形成することができるように構成されている。ここで、所望に応じて、これらディスプレイ７ａの組合せ配置は、適宜設定されるものである。
【００２１】
調整装置５は、図１（ｂ）に示すように、各々のディスプレイ装置７に接続されており、マルチディスプレイ用調整装置６から出力される調整信号により、各々のディスプレイ装置７の映像特性を調整するように構成されている。すなわち、各々のディスプレイ７ａの輝度むらや色むらの調整、輝度調整、白バランス調整およびガンマ調整などを行い、各々のディスプレイ７ａの組み合わせにより形成された１つの画面を色むらや輝度むらがなく均一の輝度に形成させる。この映像特性の調整は、周知の方法で行える。
【００２２】
マルチディスプレイ用調整装置６は、通常のパーソナルコンピュータ（ＰＣ）により形成され、図２に示すように、ディスプレイＩＤ設定手段としてのディスプレイＩＤ設定部８、ディスプレイ選択手段としてのディスプレイ選択部９、調整項目選択部１０、信号生成手段としての調整信号生成部１１および調整信号出力部１２を有している。
【００２３】
そして、図３に示すように、その画面６ａにマルチディスプレイ装置４のディスプレイ７ａのディスプレイ配列１３を表示可能に形成されている。すなわち、マルチディスプレイ装置４は、各々のディスプレイ装置７を縦（Ｘ）に３列、横（Ｙ）に４列配設しているので、画面６ａに縦（Ｘ）が３列、横（Ｙ）が４列であるディスプレイ配列１３が表示される。
【００２４】
そして、ディスプレイＩＤ設定部８は、ディスプレイ配列１３に応じた各々のディスプレイ７ａの固有の識別番号を設定するものである。図３において、各々のディスプレイ装置７（ディスプレイ７ａ）は、二桁の識別番号が付与されている。この識別番号は、１桁目が上から縦（Ｘ）の順番、２桁目が左から横（Ｙ）の順番を示している。すなわち、ディスプレイＩＤ設定部８は、マルチディスプレイ装置４のディスプレイ７ａに対して、画面６ａに表示されたディスプレイ配列１３を対応させている。この対応関係は、例えば、画面６ａに表示されたディスプレイ配列１３のディスプレイ１３ａ上にキーボードから識別番号を入力し、メニューの設定表示部のクリックなどにより設定させることができる。これにより、画面６ａに表示されたディスプレイ配列１３のディスプレイ１３ａを選択することは、ディスプレイ装置７（ディスプレイ７ａ）を選択することになっている。
【００２５】
ディスプレイ選択部９は、例えば、画面６ａのメニューの選択表示部をクリックすることにより、画面６ａにディスプレイ配列１３を表示させて、外部からの操作により特定のディスプレイ１３ａを選択させるものである。すなわち、図３に示すように、図示しないマウスによりポインタ１４を選択する特定のディスプレイ１３ａ（識別番号３２のディスプレイ１３ａ）に移動させ、当該ディスプレイ１３ａの画面上でクリックすることにより、当該ディスプレイ１３ａが選択される。この選択によって、マルチディスプレイ装置４の特定のディスプレイ装置７（ディスプレイ７ａ）が選択される。
【００２６】
調整項目選択部１０は、画面６ａ上で色むらの調整、輝度調整、白バランス調整およびガンマ調整などを選択させるとともに、さらにそれらの細目を選択させるものである。この選択は、上述のマウスによるポインタ１４により行える。例えば、色むらの調整が選択されると、色の階調が表示され、その階調が選択されるものであり、輝度調整が選択されると、０〜１００％の輝度レベルが表示され、その輝度レベルが選択されるものである。
【００２７】
そして、ディスプレイ選択部９により選択された特定のディスプレイ１３ａおよび調整項目選択部１０により選択された調整項目は、画面６ａ上のメニューの送信表示部にポインタ１４を移動させてクリックすることにより、調整信号生成部１１に送出される。
【００２８】
調整信号生成部１１は、選択されたディスプレイ１３ａの識別番号および調整項目に対して、調整装置５に送出する調整信号を生成する。そして、調整信号出力部１２は、調整信号を調整装置５に出力するように構成されている。
【００２９】
上述のようにして、マルチディスプレイ用調整装置６は構成されている。そして、調整装置５は、調整信号出力部１２から出力された調整信号の識別番号と一致する識別番号を有するディスプレイ装置７に対して、当該調整信号の調整項目に応じて、ディスプレイ７ａの映像特性の調整を行うように構成されている。このように、マルチディスプレイ用調整装置６のディスプレイ選択部９は、ディスプレイ７ａの映像特性の調整を行う特定のディスプレイ７ａが選択されることにより、選択されたディスプレイ７ａに対してディスプレイ７ａの映像特性の調整を行わせるものである。
【００３０】
そして、例えばビデオ装置などの映像出力装置３は、図１（ｂ）に示すように、各々のディスプレイ装置７に映像信号を出力するものである。そして、各々のディスプレイ装置７は、映像信号に応じて自己のディスプレイ７ａに表示する映像を判断し、当該映像を表示させるように構成されている。
【００３１】
なお、映像出力装置３およびマルチディスプレイ装置４の間に中継装置を配設し、映像出力装置３から出力された映像信号を中継装置が各々のディスプレイ装置４に表示させる映像信号に分配させてもよい。また、中継装置は、マルチディスプレイ装置４のディスプレイに１つの映像を表示させてもよく、ディスプレイを分割して、それぞれに同じまたは異なる映像を表示させるようにしてもよい。すなわち、マルチディスプレイ映像システム１は、各々のディスプレイ７ａの組み合わせにより形成された画面に対して、１つの画面として映像を表示してもよく、画面を分割してそれぞれの画面に映像を表示させるようにしてもよい。
【００３２】
以下、マルチディスプレイ装置４の各ディスプレイ７ａの映像特性の調整手順について説明する。
【００３３】
まず、映像出力装置３から映像信号を出力させて、ディスプレイ装置７の各々のディスプレイ７ａに映像を表示させる。そして、ディスプレイ７ａを目視して映像特性の調整を行う特定のディスプレイ７ａを選定する。例えば、識別番号２２のディスプレイ７ａに対して色むらの調整を行うようにする。
【００３４】
次に、図３に示すように、マルチディスプレイ用調整装置６の画面６ａ上にマルチディスプレイ装置４のディスプレイ配列１３を表示させる。そして、マウス操作によるポインタ１４で識別番号２２のディスプレイ１３ａを選択する。そして、画面６ａ上に調整項目を表示させ、マウス操作によるポインタ１４で色むら調整を選択する。すると、例えば２５６階調の色レベルが表示されるので、調整する色レベルをポインタ１４で選択する。
【００３５】
その後、マウスで画面６ａ上に表示されている送信表示部をクリックすると、選択されたディスプレイ配列１３の識別番号２２および色レベルが調整信号生成部１１で調整信号に変換され、調整信号出力部１２から調整装置５に出力される。
【００３６】
そして、調整装置５は、調整信号出力部１２から出力された色レベルの調整信号に応じて、識別番号２２を有するディスプレイ７ａの調整を行う。
【００３７】
上記色むらの調整後、再びディスプレイ７ａを目視して、さらに色むらの調整が必要であるか否かを判断する。そして、再度、色むらの調整を行うときは、上述を繰り返すものである。
【００３８】
次に、ディスプレイ７ａを目視して、例えば輝度むらの調整を行うか否かを判断し、輝度むらの調整を行うときは、上述と同様に、識別番号２２のディスプレイ１３ａを選択した後、画面６ａ上で輝度むら調整を選択する。すると、例えば０〜１００％の輝度レベルが表示されるので、調整する輝度レベルを選択する。
【００３９】
そして、選択された輝度レベルにより、識別番号２２を有するディスプレイ装置７のディスプレイ７ａの調整が行われる。以下、上述と同様に、白バランス調整およびガンマ調整などを行い、識別番号２２を有するディスプレイ装置７に対する映像特性の調整を行う。
【００４０】
次に、例えば識別番号２３を有するディスプレイ装置７に対する映像特性の調整を行い、以下、順次、上述したようにして各々のディスプレイ装置７のディスプレイ７ａに対して映像特性の調整を行うものである。これにより、マルチディスプレイ装置４のディスプレイ７ａは、色むらや輝度むらがなく、白バランス調整やガンマ調整が整った映像が表示される。
【００４１】
上述したように、マルチディスプレイ装置４のディスプレイ配列１３をマルチディスプレイ用調整装置６の画面６ａに表示して、表示したディスプレイ配列１３から映像特性の調整を行う特定のディスプレイ７ａをマウス（外部からの操作）により選択するので、調整を行う特定のディスプレイ７ａが容易かつ正確に選択される。
【００４２】
【発明の効果】請求項１の発明によれば、ディスプレイＩＤ設定手段により設定されたマルチディスプレイ装置のディスプレイ配列をディスプレイ選択手段に表示し、この表示されたディスプレイ配列から特定のディスプレイが外部からの操作により選択されるので、映像特性の調整を行う特定のディスプレイを容易に選択することができる。
【００４３】
請求項２の発明によれば、映像特性の調整を行う特定のディスプレイが容易に選択されるマルチディスプレイシステムを提供することができる。
【００４４】
請求項３の発明によれば、映像特性の調整を行う特定のディスプレイが容易に選択されるマルチディスプレイ映像システムを提供することができる。
【図面の簡単な説明】
【図１】本発明の一実施形態を示すマルチディスプレイ映像システムであり、（ａ）は概略正面図、（ｂ）は概略背面図。
【図２】同じく、マルチディスプレイ用調整装置の構成ブロック図。
【図３】同じく、特定のディスプレイの選択を示す説明図。
【符号の説明】
１…マルチディスプレイ映像システム、２…マルチディスプレイシステム、３…映像出力装置、４…マルチディスプレイ装置、５…調整装置、６…マルチディスプレイ用調整装置、８…ディスプレイＩＤ設定手段としてのディスプレイＩＤ設定部、９…ディスプレイ選択手段としてのディスプレイ選択部、１１…信号生成手段としての調整信号生成部
【図１】
2004219869.tif 000003
【図２】
2004219869.tif 000004
【図３】
2004219869.tif 000005